(57)【要約】      （修正有）【課題】設置後すぐに足場として使用できる桟橋用の足場資材を提供する。【解決手段】水域の地盤に打ち込まれた状態で水面の上方に延出する支持杭に対して着脱可能な着脱バンド部２と、該着脱バンド部に対して一体的に形成され且つ該着脱バンド部から外方に向かって放射状に延出する３本以上の踏台アーム部４であって、作業者が搭乗可能な踏台アーム部とを備え、前記着脱バンド部は、支持杭の外周面に沿わせて配置する複数の分割バンド２０を有する。【選択図】図５
2019065545.tif 000002
【特許請求の範囲】
【請求項１】
水域の地盤に打ち込まれた状態で水面の上方に延出する支持杭に対して着脱可能な着脱バンド部と、
該着脱バンド部に対して一体的に形成され且つ該着脱バンド部から外方に向かって放射状に延出する３本以上の踏台アーム部であって、作業者が搭乗可能な踏台アーム部とを備え、
前記着脱バンド部は、支持杭の外周面に沿わせて配置する複数の分割バンドを有する
桟橋用の足場資材。
【請求項２】
前記着脱バンド部には、４本の踏台アーム部が形成され、
該４本の踏台アーム部は、支持杭周りに対して等間隔又は略等間隔に配置されるように構成される
請求項１に記載の桟橋用の足場資材。
【請求項３】
前記踏台アーム部の上面は、平坦である
請求項１又は請求項２に記載の桟橋用の足場資材。
【請求項４】
前記踏台アーム部の先端に設けられた保持具であって、
柱状資材を保持可能な保持具を備える
請求項１乃至請求項３の何れか１項に記載の桟橋用の足場資材。
【発明の詳細な説明】
【技術分野】
【０００１】
本発明は、桟橋に足場を組む際に用いられる桟橋用の足場資材に関する。
【背景技術】
【０００２】
従来から、桟橋や鉄道橋における補修や点検等の作業を行う際、例えば、特許文献１に開示されているように、上工部の横側や下方側に足場を組み立てることによって、作業者が自由に歩き回れない場所や近付き難い場所に作業スペースを確保することがある。
【先行技術文献】
【特許文献】
【０００３】
【特許文献１】特開２０１７−５３１９０号公報
【発明の概要】
【発明が解決しようとする課題】
【０００４】
ところで、従来のような足場を組み立てる場合は、一般的に、複数の長尺なパイプ（いわゆる、単管）と、該パイプ同士を連結するためのクランプとが足場用の資材として用いられており、水域（河川や、海等）上に上工部を支えるための支持杭に対する作業を行う場合においては、パイプとクランプとで上工部に足場の基礎を築き、該基礎にパイプを継ぎ足しながら支持杭の周囲まで足場を拡張している。
【０００５】
このように、パイプとクランプとを用いて足場を組み立てる場合は、土台となる場所が必要となるため、作業場所となる支持杭から離れた場所から足場を組み立て始めることになる。そのため、足場を組み立て始めてから支持杭に対する作業を開始するまでに多大な時間がかかることが問題となっている。
【０００６】
また、足場を組み始めた段階においては、設置したパイプを直ちに足場として使用することもできないことも、足場の組み立て作業に時間がかかる原因となっている。
【０００７】
そこで、本発明は、かかる実情に鑑み、設置後すぐに足場として使用できる桟橋用の足場資材を提供することを課題とする。
【課題を解決するための手段】
【０００８】
本発明の桟橋用の足場資材は、水域の地盤に打ち込まれた状態で水面の上方に延出する支持杭に対して着脱可能な着脱バンド部と、該着脱バンド部に対して一体的に形成され且つ該着脱バンド部から外方に向かって放射状に延出する３本以上の踏台アーム部であって、作業者が搭乗可能な踏台アーム部とを備え、前記着脱バンド部は、支持杭の外周面に沿わせて配置する複数の分割バンドを有する。
【０００９】
上記構成の桟橋用の足場資材は、着脱バンド部で支持杭を締め付けると、着脱バンド部に対して一体的に形成されている各踏台アーム部が着脱バンド部（支持杭から）外方に向けて放射状に延びた状態になるため、該踏台アーム部に作業者が搭乗することができるようになる。
【００１０】
そのため、前記桟橋用の足場資材は、着脱バンド部で支持杭を締め付けた時点で踏台アーム部を足場として利用することができる。
【００１１】
本発明の桟橋用の足場資材において、前記着脱バンド部には、４本の踏台アーム部が形成され、該４本の踏台アーム部は、支持杭周りに対して等間隔又は略等間隔に配置されるように構成されていてもよい。
【００１２】
このようにすれば、支持杭の周囲に踏台アーム部が均等な間隔で配置されるため、作業者が支持杭の周囲を移動し易くなる。
【００１３】
また、本発明の桟橋用の足場資材において、前記踏台アーム部の上面は、平坦であってもよい。
【００１４】
このようにすれば、作業者が踏台アーム部上に立った際にバランスを取り易くなる。
【００１５】
さらに、本発明の桟橋用の足場資材は、前記踏台アーム部の先端に設けられた保持具であって、柱状資材を保持可能な保持具を備えていてもよい。
【００１６】
このようにすれば、パイプ等の柱状資材を踏台アーム部の先端に取り付けることができるため、足場資材を該足場資材上に組み立てる足場の基礎として用いることができるようになる。
【発明の効果】
【００１７】
以上のように、本発明の足場資材によれば、設置後すぐに足場として使用できるという優れた効果を奏し得る。
【図面の簡単な説明】
【００１８】
【図１】図１は、本発明の一実施形態に係る足場資材の平面図である。
【図２】図２は、同実施形態に係る足場資材の正面図である。
【図３】図３において、（ａ）は連結片部の近傍領域の拡大図であり、（ｂ）は保持具の近傍領域の拡大図である。
【図４】図４は、図１のＩＶ−ＩＶ線の断面図である。
【図５】図５は、同実施形態に係る足場資材の使用状態の平面図である。
【図６】図６は、同実施形態に係る足場資材の使用状態の平面図であって、踏台アーム上に歩み板を設置した状態の平面図である。
【図７】図７は、同実施形態に係る足場資材の使用状態の側面図であって、該足場資材に足場を組み立てた状態の側面図である。
【発明を実施するための形態】
【００１９】
以下、本発明の一実施形態にかかる桟橋用の足場資材（以下、足場資材と称する）について、添付図面を参照しつつ説明する。
【００２０】
足場資材は、建造物の一種である桟橋に足場を組む際に用いられるものである。桟橋は、水域の地盤（例えば、川底や海底の地盤）に打ち込まれた状態で水面の上方に延出する支持杭と、該支持杭上に築かれた上工部とを有する。支持杭は、円筒状となるように構成されたもの（いわゆる、鋼管杭）である。
【００２１】
本実施形態に係る足場資材は、桟橋の支持杭に設置するように構成されたものであり、
図１、及び図２に示すように、支持杭Ｓ１（図２参照）に着脱可能な着脱バンド部２と、支持杭Ｓ１に装着した状態で着脱バンド部２を固定する固定具３と、該着脱バンド部２に対して一体的に形成され且つ該着脱バンド部２から外方に向かって放射状に延出する３本以上の踏台アーム部４であって、作業者が搭乗可能な踏台アーム部４と、該踏台アーム部４の先端に設けられた保持具５と、支持杭Ｓ１と着脱バンド部２の間に配置される保護シート６とを備えている。
【００２２】
着脱バンド部２は、図１に示すように、支持杭Ｓ１の外周面に沿わせて配置する複数の分割バンド２０を有する。なお、本実施形態に係る着脱バンド部２は、２つの分割バンド２０を有する。
【００２３】
分割バンド２０は、円弧状に湾曲する湾曲帯部２００と、該湾曲帯部２００の湾曲周方向における各端部に形成される一対の連結片部２０１とを有する。
【００２４】
湾曲帯部２００は、内周面を支持杭Ｓ１の外周面側に向けて配置される。
【００２５】
連結片部２０１は、湾曲帯部２００の短辺から外方に向けて延出するように形成されている。また、湾曲帯部２００の縦幅と、連結片部２０１の縦幅とは同一又は略同一となるように設定されている（図２参照）。さらに、連結片部２０１には、厚み方向において貫通する貫通孔２０１ａが形成されている（図３（ａ）参照）。
【００２６】
分割バンド２０は、湾曲帯部２００が内周面を支持杭Ｓ１の外周面側に向けて配置されている状態において、連結片部２０１が隣り合う分割バンド２０の連結片部２０１に対して間隔をあけて対向するように構成されている。
【００２７】
また、隣り合う分割バンド２０の連結片部２０１を対向させた状態においては、それぞれの貫通孔２０１ａが対応する位置に配置されるようになっている。
【００２８】
固定具３は、対向配置されている連結片部２０１同士を連結した状態で、該連結片部２０１同士の間の間隔を狭めることができるように構成されている。
【００２９】
なお、本実施形態に係る固定具３は、図３（ａ）に示すように、ボルト３０と、ナット３１とで構成されており、対向配置されている各連結片部２０１の貫通孔２０１ａにボルト３０を挿通し、該ボルト３０の先端部にナット３１を螺合させることにより、対向する２つの連結片部２０１を連結できるようになっている。また、ボルト３０の先端部にナット３１を締め込めば、２つの連結片部２０１の間隔が狭まるため、各分割バンド２０の湾曲帯部２００で支持杭Ｓ１の外周面を締め付けることができるようになっている。
【００３０】
本実施形態に係る足場資材１は、図１に示すように、４本の踏台アーム部４を有し、一つの分割バンド２０に２本の踏台アーム部４が形成されている。
【００３１】
踏台アーム部４は、着脱バンド部２が支持杭Ｓ１に取り付けられた状態において、該支持杭Ｓ１の外周面に沿う周方向で等間隔又は略等間隔で配置されるように構成されている。なお、本実施形態に係る踏台アーム部４は、前記周方向で９０度間隔で配置されるように構成されている。
【００３２】
また、踏台アーム部４は、湾曲帯部２００の中点から一方の端部側にずれた位置と、湾曲帯部２００の中点から他方の端部側にずれた位置とに形成されている。より具体的に説明すると、踏台アーム部４は、半円状に形成された湾曲帯部２００の中点を基点として、全長（湾曲帯部２００）の約四分の一に相当する距離だけ一方の端部側にずれた位置と、他方の端部側にずれた位置とに形成されている。また、これら一対の踏台アーム部４は、約４５度間隔で並ぶように形成されている。
【００３３】
踏台アーム部４は、図４に示すように、帯板状であり、且つ一方の短辺が湾曲帯部２００の外周面に一体的に接続されている上壁部４０と、該上壁部４０の下面から垂下するように延び且つ湾曲帯部２００の外周面から外方に向けて延びる下受壁部４１と、上壁部４０及び下受壁部４１の先端に設けられた先端壁部４２と、上壁部４０の下方側に位置する帯状の下壁部４３とを有する。
【００３４】
上壁部４０は、両面が上下方向に向くようにして湾曲帯部２００の外周面に一体的に接続されている。なお、上壁部４０は、溶接等で湾曲帯部２００の外周面に対して一体的に接続すればよい。
【００３５】
下受壁部４１は、上壁部４０と、湾曲帯部２００とに対して一体的に形成されている。また、下受壁部４１は、上壁部４０の長手方向における全長に亘って延びるとともに、上壁部４０の下面から下方に向かって真っ直ぐに垂下するように形成されている。
【００３６】
なお、本実施形態に係る踏台アーム部４は、角筒状に形成されており、上壁部４０の各長辺に対して個別の下受壁部４１が形成されている。
【００３７】
先端壁部４２は、踏台アーム部４の先端面を構成する部分である。
【００３８】
下壁部４３も、両面が上下方向に向くようにして湾曲帯部２００の外周面に一体的に接続されており、一対の下受壁部４１のそれぞれの下端に連続するように形成されている。
【００３９】
保持具５は、柱状物（例えば、単管等）を保持可能であり、また、踏台アーム部４に対して相対回転可能となるように構成されている。なお、踏台アーム部４は、踏台アーム部４の軸線方向を中心とする周方向において回転可能である。
【００４０】
本実施形態に係る保持具５は、図３（ｂ）に示すように、踏台アーム部４の先端から、延出する回転軸部５０と、該回転軸部５０に対して回転可能に設けられた保持具本体５１とを有する。
【００４１】
回転軸部５０は、前記延出方向に沿って踏台アーム部４の先端から延出するように形成されている。
【００４２】
保持具本体５１は、開閉可能に連結された一対の挟持部５１０を有しており、該一対の挟持部５１０のうちの一方の挟持部５１０が、前記回転軸部５０に対して回転可能に設けられている。
【００４３】
そのため、保持具本体５１は、一対の挟持部５１０を閉じることで柱状物を挟持（保持）でき、また、一対の挟持部５１０を回転軸部５０の軸心を中心とする周方向で回転させると、挟持している柱状物の向きを変更できるように構成されている。
【００４４】
保護シート６は、弾性を有するように構成されていればよく、例えば、ゴムシート等で構成することができる。
【００４５】
本実施形態に係る足場資材１の構成は、以上の通りである。続いて、足場資材１の使用方法について添付図面を参照しつつ説明を行うこととする。なお、本実施形態では、河川や海域に建造されている桟橋の支持杭Ｓ１に足場を組むことを一例に挙げて足場資材１の使用方法についての説明を行うこととする。
【００４６】
足場資材１を支持杭Ｓ１に設置するには、まず、分割バンド２０を作業対象とする支持杭Ｓ１の近くまで運ぶ。分割バンド２０の運搬は人手で行うことができるが、船舶等を利用してもよい。
【００４７】
そして、支持杭Ｓ１の外周面（水面上における足場資材１の設置場所）に保護シート６を巻き付けた後、支持杭Ｓ１の外周面を取り囲むようにして２つの分割バンド２０を配置する。分割バンド２０は、湾曲帯部２００の内周面が支持杭Ｓ１の外周面にあてがわれ、さらに、連結片部２０１が隣り合う分割バンド２０の連結片部２０１と対向した状態となるようにして支持杭Ｓ１の周囲に配置される。
【００４８】
続いて、対向配置されている連結片部２０１同士を連結具で連結する。本実施形態では、対向配置されている各連結片部２０１の貫通孔２０１ａにボルト３０を挿通し、該ボルト３０の先端部にナット３１を螺合させることにより、対向する２つの連結片部２０１を連結する。
【００４９】
また、ボルト３０の先端部にナット３１を締め込むと２つの連結片部２０１の間隔が狭まり、各分割バンド２０の湾曲帯部２００で支持杭Ｓ１の外周面を締め付けた状態になる。
【００５０】
このようにして、着脱バンド部２が支持杭Ｓ１に取り付けられると、図５に示すように、該着脱バンド部２に対して一体的に形成されている各踏台アーム部４が着脱バンド部２（支持杭Ｓ１から）外方に向けて放射状に延びた状態になるため、該踏台アーム部４に作業者が搭乗することができるようになる。
【００５１】
以上のように、本実施形態に係る足場資材１によれば、着脱バンド部２で支持杭Ｓ１を締め付けると、着脱バンド部２に対して一体的に形成されている各踏台アーム部４が着脱バンド部２（支持杭Ｓ１から）外方に向けて放射状に延びた状態になるため、該踏台アーム部４に作業者が搭乗することができるようになる。そのため、前記桟橋用の足場資材１は、着脱バンド部２を支持杭Ｓ１に装着した時点（設置した時点）で踏台アーム部４を、その後の作業に用いる足場として利用することができる。
【００５２】
従って、足場資材１によれば、設置後すぐに足場として使用できるという優れた効果を奏し得る。
【００５３】
また、着脱バンド部２には４本の踏台アーム部４が支持杭Ｓ１の外周面に沿う周方向で等間隔又は略等間隔で配置されるため、支持杭Ｓ１の周囲に踏台アーム部４が均等又はほぼ均等な間隔で配置されることによって、作業者が支持杭Ｓ１の周囲を移動し易くなる。
【００５４】
また、各踏台アーム部４は、帯板状の上壁部４０の両面が上下方向に向いているため、上面が平坦になっている。そのため、作業者が踏台アーム部４上に立った際にバランスを取り易くなる。
【００５５】
さらに、各踏台アーム部４では、下受壁部４１が上壁部４０の下面から下方に向かって真っ直ぐに垂下するように形成されているため、踏台アーム部４の上方から荷重がかかった際に、該踏台アーム部４の撓みや折れ等を防ぐことができる。
【００５６】
また、本実施形態の踏台アーム部４は、湾曲帯部２００の中点から一方の端部側にずれた位置と、湾曲帯部２００の中点から他方の端部側にずれた位置、より具体的には、半円状に形成された湾曲帯部２００の中点を基点として、全長（湾曲帯部２００）の約四分の一に相当する距離だけ一方の端部側にずれた位置と、他方の端部側にずれた位置とに形成されているため、踏台アーム部４に荷重がかかった際に連結片部２０１に生じる負荷を抑えることができる。
【００５７】
従って、本実施形態に係る足場資材１は、上述のように、支持杭Ｓ１の周囲に踏台アーム部４を均等な間隔で配置することができ、また、分割バンド２０の連結部分の破損を防ぐこともできる。
【００５８】
そして、本実施形態に係る足場資材１では、支持杭Ｓ１の外周面に弾性を有する保護シート６を巻き付け、該保護シート６上から着脱バンド部２で支持杭Ｓ１を締め付けているため、着脱バンド部２と支持杭Ｓ１との接触による支持杭Ｓ１の損傷を防ぐことができる。
【００５９】
また、踏台アーム部４に荷重がかかると、分割バンド２０（湾曲帯部２００）の下端側が保護シート６に食い込むため、支持杭Ｓ１に対する着脱バンド部２の位置ずれが防止される。
【００６０】
なお、踏台アーム部４は、作業者が搭乗可能である他、図６に示すように、歩み板Ｍ１等の他の資材を載置することも可能である。また、踏台アーム部４の先端には単管等の柱状資材Ｍ２を保持可能な保持具５が設けられているため、各保持具５に柱状資材Ｍ２を保持させれば、図７に示すように、足場資材１を基礎とした足場を組み立てることも可能である。
【００６１】
なお、本発明の足場用資材は、上記一実施形態に限定されるものではなく、本発明の要旨を逸脱しない範囲において種々変更を行うことは勿論である。
【００６２】
上記実施形態において、着脱バンド部２は、２つの分割バンド２０を有するように構成されていたが、この構成に限定されない。例えば、着脱バンド部２は、３つ以上の分割バンド２０を有するように構成されていてもよい。
【００６３】
上記実施形態において、固定具３は、ボルト３０とナット３１とで構成されていたが、この構成に限定されない。固定具３は、対向配置されている連結片部２０１同士を連結した状態で、該連結片部２０１同士の間の間隔を狭めることができれば、例えば、該連結片部２０１同士を一括して挟み込むクランプ等で構成してもよい。
【００６４】
上記実施形態において、足場資材１は、４本の踏台アーム部４を有するように構成されていたが、この構成に限定されない。例えば、足場資材１は、３本の踏台アーム部４を有するように構成したり、５本の踏台アーム部４を有するように構成したりしてもよい。
【００６５】
上記実施形態では、一つの分割バンド２０に２本の踏台アーム部４が形成されていたが、この構成に限定されない。例えば、複数の分割バンド２０には踏台アーム部４が形成されていないものが含まれていてもよいし、一つの分割バンド２０に３本以上の踏台アーム部４を形成してもよい。
【００６６】
上記実施形態において、特に言及しなかったが、踏台アーム部４は、例えば、角パイプで構成してもよい。また、作業者が搭乗できる上壁部４０と、該上壁部４０の下方側で作業者の荷重を支える下受壁部４１とを構成できれば、角パイプの他、例えば、アングル材や、Ｈ鋼、チャンネル等で構成してもよい。
【符号の説明】
【００６７】
１…足場資材、２…着脱バンド部、３…固定具、４…踏台アーム部、５…保持具、６…保護シート、２０…分割バンド、３０…ボルト、３１…ナット、４０…上壁部、４１…下受壁部、５０…回転軸部、５１…保持具本体、２００…湾曲帯部、２０１…連結片部、２０１ａ…貫通孔、５１０…挟持部、Ｍ１…歩み板、Ｍ２…柱状資材、Ｓ１…支持杭
【図１】
2019065545.tif 000003
【図２】
2019065545.tif 000004
【図３】
2019065545.tif 000005
【図４】
2019065545.tif 000006
【図５】
2019065545.tif 000007
【図６】
2019065545.tif 000008
【図７】
2019065545.tif 000009